(57)【要約】      （修正有）【課題】土中への埋め込み前に畝の溝きりやシート両裾の踏圧等は過大な労力を必要とし、機体の複雑化やコストアップとなっていた為、この前工程をすることなくシート両裾を埋め込む方法を提供する。【解決手段】通常、圃場を使用する場合、事前に耕転作業が行われるため畝の土壌は柔らかい状態である。このため溝きり等をせずに薄板を円盤状にしたディスクを用いることによりマルチシートＳの両裾を直接押し込む。同時にマルチシートＳ両裾に対しディスク４ａより内側に備えられ、ディスク４ａと連結連動してマルチシートＳ上を転動するホイール４ｂにより、マルチシートＳ両裾の過度な埋め込みと皺や損傷を防止すると共にロール状からの引き出しを容易にする。【選択図】図１
2012090613.tif 000002
【特許請求の範囲】
【請求項１】
マルチシートやビニールシートの敷設作業においてシートの両裾を土中に埋め込む際、前工程の溝きりやシートの踏圧を省略するべく薄板円盤状の埋め込み用ディスクを用いることにより直接シートの両裾を埋め込むことを特徴とする方法及び機器。
【請求項２】
シート敷設作業が確実に行われるべく請求項１記載の埋め込み用ディスクに密接してシート両裾に対し内側に位置し、埋め込み用ディスクと連結連動してシート上面を転動するホイールを用いることを特徴とする方法及び機器。
【請求項３】
本敷設装置を他の農業機械（土壌消毒機、野菜移植機等）と連結連動し用いる方法。
【発明の詳細な説明】
【技術分野】
【０００１】本発明は、畝にマルチシートを敷設する装置に関するものである。
【背景技術】
【０００２】野菜の栽培等において、土温の保持や土壌消毒の効果を高める為、更には雑草の成育を阻止する為に畝に所謂マルチシートと称されるプラスチックフィルム製のシートを被せている。【０００３】前記敷設装置はロール状のシートからシートを繰り出しながらシート両裾部分を畝の土中に埋め込む。このため事前に溝きり培土や溝きりディスク等であらかじめ畝に溝を形成する。【０００４】形成された溝内でシート両裾部分を押さえる踏圧ローラと、シート両裾部分に土壌を被せる土掛ディスクとを一定の機体に備えたもので、この機体を人力牽引やトラクター等による機械牽引をしてマルチシートで畝を覆い乍踏圧ローラでシート両裾を押さえ、押さえた状態で機体進行によって土掛ディスクで溝内のシート両裾上に土を被せていくもの（特許文献１，２）等があった。
【先行技術文献】
【特許文献】
【０００５】
【特許文献１】特開平９−２４８０７１号公報。
【特許文献２】特許２９１９２４２号公報。
【発明の概要】
【発明が解決しようとする課題】
【０００６】従来例によるマルチシート敷設装置は前工程として溝きりを必要とするが、この作業は過度な労力を必要とする。更に、溝内のマルチシート両裾を押さえる為、踏圧ローラを必要とするなど機体の構造が大きくなり、取り回しの悪さとコストアップの要因となっていた。
そこで本発明は前記問題点を鑑みて安価で省力化を伴う簡易マルチシート敷設装置の提供を目的とする。
【課題を解決するための手段】
【０００７】本発明によるマルチシート敷設装置は、ロール状から引き出されたマルチシートの両裾部分を、あらかじめ溝きりすることなく埋め込む為に金属の薄板を円盤状にした埋め込みディスクを用い、更にマルチシート両裾に対し埋め込みディスクの内側に位置し、埋め込みディスクと密接固定されたホイールがシート上を転動することによって過度な埋め込み等を防止し、埋め込みディスクにより畝の土中に押し込まれたシートの両裾部分に土壌を被せるスクレパーを備えることを特徴とするマルチシート敷設装置である。
被土、盛土に関しては、従来例のような土掛けディスクでも良い。
【発明の効果】
【０００８】マルチシート両裾部分を畝の土中に埋め込む際、前工程の溝きりや踏圧は行わず直接薄板円盤状の埋め込みディスクとホイールとの連結回転体のみで行う為、構造がシンプルであり安価で済む。【０００９】前記のようにマルチシート両裾部分の土中への埋め込みは薄板円盤状の埋め込みディスクとホイールを組み合わせた連結回転体で行う為、過度な労力を必要とせず人力でも十分対応可能である。【００１０】機体の構造がシンプルな上、占有面積を必要としない為、取り回しが良く他の農作業機械との連結連動が容易である。【００１１】マルチシート敷設以外に保温用ビニールシートなどの敷設作業にも対応可能である。
【図面の簡単な説明】
【００１２】
【図１】本マルチシート敷設装置の平面図である。
【図２】本マルチシート敷設装置の側面図である。
【発明を実施するための形態】
【００１３】以下、本発明の実施の形態１を図面に基付いて説明する。
図１は本マルチシート敷設装置１の平面図である。本敷設装置１は、フレーム２とその進行方向前方の左右両端には前輪３を、後方左右両端には埋め込みディスク４ａとホイール４ｂとの連結回転体４を備え概四輪車の機体を成し、人力によって畝Ｒ上を走行しながらマルチシートＳの両裾を埋め込み敷設していくものである。
【００１４】マルチシートＳのロール状体は、フレーム２の前方前輪３の付近に備えられたロールシート装着部５にマルチシートＳが引き出されやすいように装着される。（従来技術）また、埋め込みディスク４ａにより畝Ｒの土中に埋め込まれたマルチシートＳの両裾に被土及び盛土するため、フレーム２の後方（連結回転体４の後方）に土掛けスクレパー６を備える。
【００１５】連結回転体４は、図１にあるように薄板（鋼板、板厚１，６）を円盤状にした埋め込みディスク４ａとホイール４ｂ（本発明では前輪と同様の運搬用一輪車用のタイヤ）に同軸となるよう取り付け、フレーム２の後方左右両端に対称に回転軸７により軸支される。
【００１６】軸支位置は調整可能な構造であり、敷設されるマルチシートＳの幅に対し両裾の外側端から畝Ｒの土中に埋め込む量を考慮して固定される。埋め込みディスク４ａと共に連結回転体４を構成するホイール４ｂは埋め込みディスク４ａよりマルチシートＳ両裾より内側に位置する為、常にマルチシートＳ上を転動することになる。
連結回転体４を軸支する回転軸７は、フレーム２ｃの後方に備えられた軸受８に支持される。
【００１７】土掛スクレパー６は図１にあるようにフレーム２ｃの後方軸受８に隣設され、マルチシートＳの両裾が埋め込みディスク４ａによって畝Ｒの土中に埋め込まれた直後に被土及び盛土する。被土、盛土に関しては、従来技術の土掛ディスクを用いても良い。
【００１８】次に使用方法として、作業開始時は本敷設装置１を畝Ｒ上に移動しロール状マルチシートＳの一端を引き出し、本敷設装置１の後部を持ち上げ、マルチシートＳの両裾が均等に埋め込まれるように埋め込みディスク４ａの下方を通過させセットする。
【００１９】本敷設装置１の後部を畝Ｒ上に戻すことにより、装置の自重で埋め込みディスク４ａがマルチシートＳの両裾部分を畝Ｒの土中に埋め込む為、その後はフレーム２ａに立設したフレーム２ｄの上端に設けられたハンドル９を把持し前進することにより、順次ロール状からマルチシートＳが引っ張り出され埋め込みディスク４ａにより畝Ｒの土中にマルチシートＳの両裾が埋め込まれていく。
【００２０】この時、連結回転体４を構成するホイール４ｂがマルチシートＳ上を転動することによってマルチシートＳの両裾が過度に埋め込まれるのを防止し、マルチシートＳの損傷を防ぎ、皺等を減少させると共にロール状からマルチシートＳが引っ張られ易くする。
【００２１】埋め込みディスク４ａによってマルチシートＳの両裾が土中に押し込まれた後、埋め込みを確実にするために土掛スクレパー６もしくは土掛ディスクによって被土及び盛土を行う。（従来技術）
【符号の説明】
【００２２】１    機体
２    フレーム
３    前輪
４    連結回転体
４ａ  埋め込みディスク
４ｂ  ホイール
５    ロールシート装着部
６    土掛スクレパー
７    回転軸
８    軸受
９    ハンドル
Ｒ    畝
Ｓ    マルチシート
Ｍ    被土、盛土部分
【図１】
2012090613.tif 000003
【図２】
2012090613.tif 000004